【手続補正書】
【提出日】平成25年3月26日(2013.3.26)
【手続補正１】
【補正対象書類名】特許請求の範囲
【補正対象項目名】全文
【補正方法】変更
【補正の内容】
【特許請求の範囲】
【請求項１】
被験体における既にある疼痛を処置するための鎮痛系であって：
皮膚表面を３６℃〜４２℃の温度に加温するように構成された加温要素、および
少なくとも１種の局所麻酔薬を含む局所麻酔薬処方物、を備え、
該鎮痛系が、該皮膚表面に少なくとも３０分間の期間適用されるように構成されている、系。
【請求項２】
前記加温要素は、前記鎮痛系が前記皮膚表面に適用されるのとほぼ同時に加温を開始するように構成されている、請求項１に記載の系。
【請求項３】
前記局所麻酔薬はテトラカイン、リドカイン、プリロカイン、ロピバカイン、ブピバカイン、ベンゾカインおよびそれらの組み合わせからなる群から選択される、請求項１に記載の系。
【請求項４】
前記局所麻酔薬処方物はリドカイン塩基またはテトラカイン塩基の少なくとも１種を含む、請求項１に記載の系。
【請求項５】
前記局所麻酔薬処方物はリドカイン塩基とテトラカイン塩基との共融混合物である、請求項１に記載の系。
【請求項６】
前記共融混合物の重量百分率は前記局所麻酔薬処方物の少なくとも３０ｗｔ％である、請求項５に記載の系。
【請求項７】
前記系は前記皮膚表面に少なくとも６０分間の期間維持されるように構成されている、請求項１に記載の系。
【請求項８】
前記系は前記皮膚表面に約３０分間から約２時間の期間維持されるように構成されている、請求項１に記載の系。
【請求項９】
前記局所麻酔薬処方物は２ｃｍ２〜２００ｃｍ２の面積がある皮膚接触領域を有する、請求項１に記載の系。
【請求項１０】
前記局所麻酔薬処方物は５ｃｍ２〜１３０ｃｍ２の皮膚接触領域を有する、請求項１に記載の系。
【請求項１１】
前記局所麻酔薬処方物は８ｃｍ２〜４０ｃｍ２の皮膚接触領域を有する、請求項１に記載の方法。
【請求項１２】
前記系は少なくとも１２時間の処置期間のために構成されている、請求項１に記載の系。
【請求項１３】
前記系は、前記処置期間中の期間除去されるように構成されている、請求項１２に記載の系。
【請求項１４】
前記既にある疼痛は、急性疼痛である、請求項１に記載の系。
【請求項１５】
前記既にある疼痛は、結合組織の疼痛、神経絞扼の疼痛、神経腫の疼痛、頭痛、関節炎の疼痛、または骨折、切断、破壊、捻挫、挫傷、断裂もしくは打撲傷により損傷した組織に起因する疼痛からなる群から選択される、請求項１に記載の系。
【請求項１６】
前記既にある疼痛は、結合組織の疼痛である、請求項１５に記載の系。
【請求項１７】
前記結合組織の疼痛は、腱障害によって起こる、請求項１６に記載の系。
【請求項１８】
前記結合組織の疼痛は、膝蓋腱炎によって起こる、請求項１６に記載の系。
【請求項１９】
前記結合組織の疼痛は、テニス肘によって起こる、請求項１６に記載の系。
【請求項２０】
前記既にある疼痛は、頭、首、肩、膝、脚、足首、ヒップ、肘または手首のうちの少なくとも１つに関連した疼痛である、請求項１に記載の系。
【手続補正２】
【補正対象書類名】明細書
【補正対象項目名】０００３
【補正方法】変更
【補正の内容】
【０００３】
本発明の特定の実施形態を開示し記載する前に、本発明は、本明細書に開示される特定のプロセスおよび材料に限定されるものではなく、したがって、ある程度異なってもよいことを理解されたい。さらに、本発明の範囲は、添付の特許請求の範囲およびその等価物によってのみ規定されるため、本明細書に使用される用語は、個々の実施形態を記載する目的のみのために使用されるもので、限定的であることを意図するものではないことも理解されたい。
本発明の好ましい実施形態では、例えば以下が提供される：
（項目１）
神経絞扼の疼痛を処置する方法であって：
ａ）神経絞扼の疼痛のある被験体の皮膚表面に、以下：
ｉ）該皮膚表面を３６℃〜４２℃の温度に加温することができる加温要素、および
ｉｉ）少なくとも１種の局所麻酔薬を含む局所麻酔薬処方物、を含む鎮痛系を適用する工程；ならびに
ｂ）該鎮痛系を該皮膚表面に少なくとも３０分間の期間維持する工程
を含む、方法。
（項目２）
前記加温要素は、前記鎮痛系が前記皮膚表面に適用されるのとほぼ同時に加温を開始する、項目１に記載の方法。
（項目３）
前記局所麻酔薬はテトラカイン、リドカイン、プリロカイン、ロピバカイン、ブピバカイン、ベンゾカインおよびそれらの組み合わせの群から選択される、項目１に記載の方法。
（項目４）
前記局所麻酔薬処方物はリドカイン塩基またはテトラカイン塩基の少なくとも１種を含む、項目１に記載の方法。
（項目５）
前記局所麻酔薬はリドカイン塩基とテトラカイン塩基との共融混合物である、項目１に記載の方法。
（項目６）
前記共融混合物の重量百分率は前記局所麻酔薬処方物の少なくとも３０ｗｔ％である、項目５に記載の方法。
（項目７）
前記鎮痛系は前記皮膚表面に少なくとも６０分間の期間維持される、項目１に記載の方法。
（項目８）
前記鎮痛系は前記皮膚表面に少なくとも２時間の期間維持される、項目１に記載の方法。
（項目９）
前記局所麻酔薬処方物は２ｃｍ２〜２００ｃｍ２の面積がある皮膚接触領域を有する、項目１に記載の方法。
（項目１０）
前記局所麻酔薬処方物は７ｃｍ２〜１５０ｃｍ２の面積がある皮膚接触領域を有する、項目１に記載の方法。
（項目１１）
前記局所麻酔薬処方物は８ｃｍ２〜１５ｃｍ２の面積がある皮膚接触領域を有する、項目１に記載の方法。
（項目１２）
前記局所麻酔薬処方物は、前記神経絞扼の疼痛の部位を直接覆う前記皮膚表面に適用される、項目１に記載の方法。
（項目１３）
前記神経絞扼の疼痛は手根管症候群によって起こる、項目１に記載の方法。
（項目１４）
前記神経絞扼の疼痛は尺骨神経障害によって起こる、項目１に記載の方法。
（項目１５）
前記神経絞扼の疼痛は陰部神経絞扼によって起こる、項目１に記載の方法。
（項目１６）
神経腫に関連する疼痛を処置する方法であって：
ａ）神経腫の疼痛のある被験体の皮膚表面に、以下：
ｉ）該皮膚表面を３６℃〜４２℃の温度に加温することができる加温要素、および
ｉｉ）少なくとも１種の局所麻酔薬を含む局所麻酔薬処方物、を含む鎮痛系を適用する工程；ならびに
ｂ）該鎮痛系を該皮膚表面に少なくとも３０分間の期間維持する工程
を含む、方法
（項目１７）
前記加温要素は、前記鎮痛系が前記皮膚表面に適用されるのとほぼ同時に加温を開始する、項目１６に記載の方法。
（項目１８）
前記局所麻酔薬はテトラカイン、リドカイン、プリロカイン、ロピバカイン、ブピバカイン、ベンゾカインおよびそれらの組み合わせの群から選択される、項目１６に記載の方法。
（項目１９）
前記局所麻酔薬処方物はリドカイン塩基またはテトラカイン塩基の少なくとも１種を含む、項目１６に記載の方法。
（項目２０）
前記局所麻酔薬はリドカイン塩基とテトラカイン塩基との共融混合物である、項目１６に記載の方法。
（項目２１）
前記共融混合物の重量百分率は前記局所麻酔薬処方物の少なくとも３０ｗｔ％である、項目２０に記載の方法。
（項目２２）
前記鎮痛系は前記皮膚表面に少なくとも６０分間の期間維持される、項目１６に記載の方法。
（項目２３）
前記鎮痛系は前記皮膚表面に少なくとも２時間の期間維持される、項目１６に記載の方法。
（項目２４）
前記局所麻酔薬処方物は２ｃｍ２〜２００ｃｍ２の面積がある皮膚接触領域を有する、項目１６に記載の方法。
（項目２５）
前記局所麻酔薬処方物は７ｃｍ２〜１５０ｃｍ２の面積がある皮膚接触領域を有する、項目１６に記載の方法。
（項目２６）
前記局所麻酔薬処方物は８ｃｍ２〜１５ｃｍ２の面積がある皮膚接触領域を有する、項目１６に記載の方法。
（項目２７）
前記局所麻酔薬処方物は、前記神経腫の疼痛の部位を直接覆う前記皮膚表面に適用される、項目１６に記載の方法。
（項目２８）
前記神経腫の疼痛は新生物腫瘍によって起こる、項目１６に記載の方法。
（項目２９）
前記神経腫の疼痛は神経傷害によって起こる、項目１６に記載の方法。
（項目３０）
前記神経腫の疼痛は手術によって起こる、項目１６に記載の方法。
（項目３１）
前記神経腫の疼痛はモートン神経腫である、項目１６に記載の方法。
（項目３２）
頭痛を処置する方法であって：
ａ）頭痛のある被験体の皮膚表面に、以下：
ｉ）該皮膚表面を３６℃〜４２℃の温度に加温することができる加温要素、および
ｉｉ）少なくとも１種の局所麻酔薬を含む局所麻酔薬処方物、を含む鎮痛系を適用する工程；ならびに
ｂ）該鎮痛系を該皮膚表面に少なくとも３０分間の期間維持する工程
を含む、方法。
（項目３３）
前記加温要素は、前記鎮痛系が前記皮膚表面に適用されるのとほぼ同時に加温を開始する、項目３２に記載の方法。
（項目３４）
前記局所麻酔薬はテトラカイン、リドカイン、プリロカイン、ロピバカイン、ブピバカイン、ベンゾカインおよびそれらの組み合わせの群から選択される、項目３２に記載の方法。
（項目３５）
前記局所麻酔薬処方物はリドカイン塩基またはテトラカイン塩基の少なくとも１種を含む、項目３２に記載の方法。
（項目３６）
前記局所麻酔薬はリドカイン塩基とテトラカイン塩基との共融混合物である、項目３２に記載の方法。
（項目３７）
前記共融混合物の重量百分率は前記局所麻酔薬処方物の少なくとも３０ｗｔ％である、項目３６に記載の方法。
（項目３８）
前記鎮痛系は前記皮膚表面に少なくとも６０分間の期間維持される、項目３２に記載の方法。
（項目３９）
前記鎮痛系は前記皮膚表面に少なくとも２時間の期間維持される、項目３２に記載の方法。
（項目４０）
前記局所麻酔薬処方物は２ｃｍ２〜２００ｃｍ２の面積がある皮膚接触領域を有する、項目３２に記載の方法。
（項目４１）
前記局所麻酔薬処方物は７ｃｍ２〜１５０ｃｍ２の面積がある皮膚接触領域を有する、項目３２に記載の方法。
（項目４２）
前記局所麻酔薬処方物は８ｃｍ２〜１５ｃｍ２の面積がある皮膚接触領域を有する、項目３２に記載の方法。
（項目４３）
前記局所麻酔薬処方物は、頸筋を覆う皮膚表面または頭部の皮膚表面に適用される、項目３２に記載の方法。
（項目４４）
前記頭痛は三叉神経痛に由来する、項目３２に記載の方法。
（項目４５）
前記頭痛は後頭神経痛に由来する、項目３２に記載の方法。
（項目４６）
結合組織の疼痛を処置する方法であって：
ａ）結合組織の疼痛のある被験体の皮膚表面に、以下：
ｉ）該皮膚表面を３６℃〜４２℃の温度に加温することができる加温要素、および
ｉｉ）少なくとも１種の局所麻酔薬を含む局所麻酔薬処方物、を含む鎮痛系を適用す
る工程；ならびに
ｂ）該鎮痛系を該皮膚表面に少なくとも３０分間の期間維持する工程
を含む、方法。
（項目４７）
前記加温要素は、前記鎮痛系が前記皮膚表面に適用されるのとほぼ同時に加温を開始する、項目４６に記載の方法。
（項目４８）
前記局所麻酔薬はテトラカイン、リドカイン、プリロカイン、ロピバカイン、ブピバカイン、ベンゾカインおよびそれらの組み合わせの群から選択される、項目４６に記載の方法。
（項目４９）
前記局所麻酔薬処方物はリドカイン塩基またはテトラカイン塩基の少なくとも１種を含む、項目４６に記載の方法。
（項目５０）
前記局所麻酔薬はリドカイン塩基とテトラカイン塩基との共融混合物である、項目４６に記載の方法。
（項目５１）
前記共融混合物の重量百分率は前記局所麻酔薬処方物の少なくとも３０ｗｔ％である、項目５０に記載の方法。
（項目５２）
前記鎮痛系は前記皮膚表面に少なくとも６０分間の期間維持される、項目４６に記載の方法。
（項目５３）
前記鎮痛系は前記皮膚表面に少なくとも２時間の期間維持される、項目４６に記載の方法。
（項目５４）
前記局所麻酔薬処方物は２ｃｍ２〜２００ｃｍ２の面積がある皮膚接触領域を有する、項目４６に記載の方法。
（項目５５）
前記局所麻酔薬処方物は７ｃｍ２〜１５０ｃｍ２の面積がある皮膚接触領域を有する、項目４６に記載の方法。
（項目５６）
前記局所麻酔薬処方物は８ｃｍ２〜１５ｃｍ２の面積がある皮膚接触領域を有する、項目４６に記載の方法。
（項目５７）
前記局所麻酔薬処方物は前記結合組織の疼痛を直接覆う前記皮膚表面に適用される、項目４６に記載の方法。
（項目５８）
前記結合組織の疼痛は靭帯の疼痛である、項目４６に記載の方法。
（項目５９）
前記結合組織の疼痛は腱の疼痛である、項目４６に記載の方法。
（項目６０）
前記結合組織の疼痛は腸脛靭帯の疼痛である、項目４６に記載の方法。
（項目６１）
前記結合組織の疼痛は血管に関連する、項目４６に記載の方法。
（項目６２）
前記結合組織の疼痛は腱障害によって起こる、項目４６に記載の方法。
（項目６３）
前記腱障害は鎖骨の腱炎である、項目６２に記載の方法。
（項目６４）
前記腱障害はテニス肘である、項目６２に記載の方法。
（項目６５）
前記腱障害は脛骨過労性骨膜炎である、項目６２に記載の方法。
（項目６６）
前記結合組織の疼痛は滑液包炎である、項目４６に記載の方法。
（項目６７）
骨折、切断、破壊、捻挫、挫傷、断裂または打撲傷により損傷した組織に起因する疼痛を処置する方法であって：
ａ）組織の骨折、切断、破壊、捻挫、挫傷、断裂、打撲傷に関連する疼痛、限局性の疼痛、ポイントの疼痛のある被験体の皮膚表面に、以下：
ｉ）該皮膚表面を３６℃〜４２℃の温度に加温することができる加温要素、および
ｉｉ）少なくとも１種の局所麻酔薬を含む局所麻酔薬処方物、を含む鎮痛系を適用する工程；ならびに
ｂ）該鎮痛系を該皮膚表面に少なくとも３０分間の期間維持する工程
を含む、方法。
（項目６８）
前記加温要素は、前記鎮痛系が前記皮膚表面に適用されるのとほぼ同時に加温を開始する、項目６７に記載の方法。
（項目６９）
前記局所麻酔薬はテトラカイン、リドカイン、プリロカイン、ロピバカイン、ブピバカイン、ベンゾカインおよびそれらの組み合わせの群から選択される、項目６７に記載の方法。
（項目７０）
前記局所麻酔薬処方物はリドカイン塩基またはテトラカイン塩基の少なくとも１種を含む、項目６７に記載の方法。
（項目７１）
前記局所麻酔薬はリドカイン塩基とテトラカイン塩基との共融混合物である、項目６７に記載の方法。
（項目７２）
前記共融混合物の重量百分率は前記局所麻酔薬処方物の少なくとも３０ｗｔ％である、項目７１に記載の方法。
（項目７３）
前記鎮痛系は前記皮膚表面に少なくとも６０分間の期間維持される、項目６７に記載の方法。
（項目７４）
前記鎮痛系は前記皮膚表面に少なくとも２時間の期間維持される、項目６７に記載の方法。
（項目７５）
前記局所麻酔薬処方物は２ｃｍ２〜２００ｃｍ２の面積がある皮膚接触領域を有する、項目６７に記載の方法。
（項目７６）
前記局所麻酔薬処方物は７ｃｍ２〜１５０ｃｍ２の面積がある皮膚接触領域を有する、項目６７に記載の方法。
（項目７７）
前記局所麻酔薬処方物は８ｃｍ２〜１５ｃｍ２の面積がある皮膚接触領域を有する、項目６７に記載の方法。
（項目７８）
前記局所麻酔薬処方物は前記疼痛を直接覆う前記皮膚表面に適用される、項目６７に記載の方法。
（項目７９）
前記疼痛は骨折に由来する、項目６７に記載の方法。
（項目８０）
前記疼痛は手術で起こった組織の切断に由来する、項目６７に記載の方法。
（項目８１）
前記疼痛は骨組織または軟骨組織の破壊に由来する、項目６７に記載の方法。
（項目８２）
前記疼痛は関節の捻挫または関節の挫傷に由来する、項目６７に記載の方法。
（項目８３）
前記疼痛は組織の断裂に由来する、項目６７に記載の方法。
（項目８４）
前記疼痛は打撲傷に由来する、項目６７に記載の方法。
（項目８５）
前記疼痛は限局性の疼痛である、項目６７に記載の方法。
（項目８６）
前記疼痛はポイントの疼痛である、項目６７に記載の方法。
（項目８７）
前記疼痛は発痛点の疼痛である、項目６７に記載の方法。
（項目８８）
関節炎に関連する疼痛を処置する方法であって：
ａ）関節炎の疼痛のある被験体の皮膚表面に、以下：
ｉ）該皮膚表面を３６℃〜４２℃の温度に加温することができる加温要素、および
ｉｉ）少なくとも１種の局所麻酔薬を含む局所麻酔薬処方物、を含む鎮痛系を適用する工程；ならびに
ｂ）該鎮痛系を該皮膚表面に少なくとも３０分間の期間維持する工程
を含む、方法。
（項目８９）
前記加温要素は、前記鎮痛系が前記皮膚表面に適用されるのとほぼ同時に加温を開始する、項目８８に記載の方法。
（項目９０）
前記局所麻酔薬はテトラカイン、リドカイン、プリロカイン、ロピバカイン、ブピバカイン、ベンゾカインおよびそれらの組み合わせの群から選択される、項目８８に記載の方法。
（項目９１）
前記局所麻酔薬処方物はリドカイン塩基またはテトラカイン塩基の少なくとも１種を含む、項目８８に記載の方法。
（項目９２）
前記局所麻酔薬はリドカイン塩基とテトラカイン塩基との共融混合物である、項目８８に記載の方法。
（項目９３）
前記共融混合物の重量百分率は前記局所麻酔薬処方物の重量の３０％を超える、項目９２に記載の方法。
（項目９４）
前記鎮痛系は前記皮膚表面に少なくとも６０分間の期間維持される、項目８８に記載の方法。
（項目９５）
前記鎮痛系は前記皮膚表面に少なくとも２時間の期間維持される、項目８８に記載の方法。
（項目９６）
前記局所麻酔薬処方物は２ｃｍ２〜２００ｃｍ２の面積がある皮膚接触領域を有する、項目８８に記載の方法。
（項目９７）
前記局所麻酔薬処方物は７ｃｍ２〜１５０ｃｍ２の面積がある皮膚接触領域を有する、項目８８に記載の方法。
（項目９８）
前記局所麻酔薬処方物は８ｃｍ２〜１５ｃｍ２の面積がある皮膚接触領域を有する、項目８８に記載の方法。
（項目９９）
前記局所麻酔薬処方物は、前記関節炎の疼痛の部位を直接覆う前記皮膚表面に適用される、項目８８に記載の方法。
（項目１００）
前記関節炎の疼痛は関節リウマチに由来する、項目８８に記載の方法。
（項目１０１）
前記関節炎の疼痛は変形性関節症に由来する、項目８８に記載の方法。